(57)【特許請求の範囲】
【請求項１】
種々の情報を表示可能な表示手段を具備し、充電可能な電池を内蔵し、該電池からの給電により動作する移動無線端末において、
前記電池の残量を検出する検出手段と、
ユーザの指示に基づいて前記電池の充電を促す設定値を前記表示手段から設定可能な設定手段と、
前記検出手段により検出された前記電池の残量と前記設定手段により設定された設定値とを比較し、該比較結果に基づき前記電池の充電を促す報知を前記表示手段による表示で行う報知手段とを具備し、
前記設定手段は、
前記報知手段により報知を行う目安となる判定値を入力する入力手段と、
前記入力手段により入力された判定値に基づき前記設定値を設定する設定値設定手段とを具備し、
前記入力手段は、
前記電池容量に対する前記報知を行う全容量に対する電池残量の割合を前記判定値として入力することを特徴とする移動無線端末。
【請求項２】
種々の情報を表示可能な表示手段を具備し、充電可能な電池を内蔵し、該電池からの給電により動作する移動無線端末において、
前記電池の残量を検出する検出手段と、
ユーザの指示に基づいて前記電池の充電を促す設定値を前記表示手段から設定可能な設定手段と、
前記検出手段により検出された前記電池の残量と前記設定手段により設定された設定値とを比較し、該比較結果に基づき前記電池の充電を促す報知を行う報知手段とを具備し、
前記設定手段は、
前記報知手段により報知を行う目安となる判定値を入力する入力手段と、
前記入力手段により入力された判定値に基づき前記設定値を設定する設定値設定手段とを具備し、
前記入力手段は、
前記電池の通話可能時間と待受け可能時間を前記判定値として入力することを特徴とする移動無線端末。
【請求項３】
種々の情報を表示可能な表示手段を具備し、充電可能な電池を内蔵し、該電池からの給電により動作する移動無線端末において、
前記電池の残量を検出する検出手段と、
ユーザの指示に基づいて前記電池の充電を促す設定値を前記表示手段から設定可能な設定手段と、
前記検出手段により検出された前記電池の残量と前記設定手段により設定された設定値とを比較し、該比較結果に基づき前記電池の充電を促す報知を前記表示手段による表示で行う報知手段とを具備し、
前記設定手段は、
前記報知手段により報知を行う目安となる判定値を入力する入力手段と、
前記入力手段により入力された判定値に基づき前記設定値を設定する設定値設定手段とを具備し、
前記設定値設定手段は、
ユーザにより入力された電池の充電を促す時期である判定値および当該移動無線端末のユーザの過去の使用形態から計測した使用実績に基づき前記設定値を算出する算出手段と、前記算出手段により算出された前記設定値を設定する手段とを具備することを特徴とする移動無線端末。
【請求項４】
充電可能な電池を内蔵し、該電池からの給電により動作する移動無線端末において、
前記電池の残量を検出する検出手段と、
前記電池の充電を促す設定値を設定する設定手段と、
前記検出手段により検出された前記電池の残量と前記設定手段により設定された設定値とを比較し、該比較結果に基づき前記電池の充電を促す報知を行う報知手段とを具備し、
前記設定手段は、
前記報知手段により報知を行う目安となる判定値を入力する入力手段と、
前記入力手段により入力された判定値に基づき前記設定値を設定する設定値設定手段とをさらに具備し、
前記入力手段は、前記電池の通話可能時間と待受け可能時間を前記判定値として入力することを特徴とする移動無線端末。
【発明の詳細な説明】
【０００１】
【発明の属する技術分野】
この発明は、携帯電話機等の充電可能な電池を内蔵し該電池からの給電により動作する移動無線端末に関し、詳しくは前記電池の消耗に伴う充電推奨報知を適切に行うことで操作性の向上を図った移動無線端末に関する。
【０００２】
【従来の技術】
従来、携帯電話機等の充電可能な電池を内蔵し該電池からの給電により動作する移動無線端末においては、電池切れを未然に防止するために、電池の残量を可視的に表示するように構成されている。
【０００３】
ところで、近年、この種の携帯電話機の電池としては、比較的内部抵抗が高いリチウムイオン電池が主力となり、特に、近年普及したデジタル方式の携帯電話機においては、通話時と待受時とで消費電流が大きく異なり、この消費電流は、例えば、通話時においては平均３５０ｍＡとなり、待受時においては平均３ｍＡとなる。このため、消費電力も通話時の方が待受時より大きくなり、電池１４の端子電圧は通話時の方が待受時よりも低下する。
【０００４】
図９は、携帯電話機の電池の通話時と待受時とにおける正規化放電時間と正規化電池電圧との関係を示したグラフである。
図９に示すように、この種の携帯電話機の電池における正規化放電時間と正規化電池電圧との関係は、通話時と待受時とで異なるので、電池残量が同じでも電池の端子電圧は通話時と待受時とで異なる。また、電池は化学反応を利用している性質上、充電時間、温度などにより出力電圧が変わり易い特性をもっている。
【０００５】
従って、例えば、通話時に表示した電池の残量表示が１目盛りであったのが、電話を切ると再び２目盛りに戻るというケースがあり、使用者が電池の残量を認識するのに誤解を生じさせるという問題があった。
【０００６】
図１０は、従来の電池の残量を表示する表示画面を示す図である。
図１０（ａ）において、画面１２１は、携帯電話機の表示部に常時表示されるの表示画面を示しており、この表示画面１２１の上右隅には、電池１４の残量を表示するための内部に３個のセグメント１２２−１、１２２−２、１２２−３を有する電池を模した電池残量表示画像１２２が表示される。
【０００７】
この電池残量表示画像１２２により、図１０（ｂ）に示すように、電池１４の残量が十分である「レベル３」においては、セグメント１２２−１、１２２−２、１２２−３を点灯させ、電池の残量が中位状態の「レベル２」においては、セグメント１２２−１、１２２−２を点灯させ、電池の充電が必要な「レベル１」においては、セグメント１２２−１のみを点灯させることにより、電池の残量をユーザに視覚的に表示する。
【０００８】
また、図１０（ｃ）は、電池の残量が尽きた時の表示部１２の表示例である。電池の残量が尽きると、電池残量表示画像１２２のセグメントが図１０（ｃ）に示すように、全て消灯され、「ピピピッピピピッピピピッ」という音が鳴り、表示画面１２１上に「デンチコウカンジュウデン」と表示される。そして、しばらくすると「ピーッ」という音が鳴り電源が切れる。
【０００９】
ところで、上記電池残量表示画像１２２の常時表示による電池の残量表示においては、上述したように通話時の方が待受時よりも消費電力が大きく、電池１４の端子電圧は通話時の方が待受時よりも低下するため、例えば、電池の残量レベル表示が、例えば通話時には「レベル１」であったのが、電話を切り待受状態になると再び「レベル２」に戻るということがあり、ユーザに対して適切に電池の残量を報知することができない。
【００１０】
そこで、上記の問題を解決すべく、電池の残量の常時表示をやめ、電源を入れた時と、ユーザが自分で確認をしたい時に、電池の残量を一時的に表示する構成を採用する携帯電話機も提案されている。
【００１１】
図１１は、この方式を採用した場合の電池１４の他の残量表示例を示すものである。
この例においては、この種の携帯電話機のファンクションキー「Ｆ」とテンキーの「３」「１」を押下し、電池１４の残量レベルの表示を選択するように構成されている。
【００１２】
図１１（ａ）は、この操作により表示される表示画面１２１を示している。すなわち、図１１（ａ）において、４個のセグメント１２３−１、１２３−２、１２３−３、１２３−４は、電池１４の残量レベルを表示しており、例えば、図１１（ａ）に示すように、４個のセグメント１２３−１、１２３−２、１２３−３、１２３−４が全て点灯されていると、電池１４の残量が十分である「レベル４」を示し、３個のセグメント１２３−１、１２３−２、１２３−３が点灯していると「レベル３」、２個のセグメント１２３−１、１２３−２が点灯していると「レベル２」の中位状態を示し、１個のセグメント１２３−１のみが点灯している状態は、充電が必要な「レベル１」を示す。
【００１３】
この表示方法においても、電池１４の残量が尽きると、上述のように「デンチコウカンジュウデン」と表示され、アラームが鳴動し電源が切れる。
しかし、上記方法によると、電源を入れた時、または、ユーザが電池の残量を知りたい時に一時的に電池の残量を認識できるので、通話時と待受時に電池の残量レベルが異なるという問題を解決することができる。
【００１４】
ところで、近年のディジタル方式の携帯電話機では、連続待受時間が２００〜４００時間と長く、多時間通話をしない限り、一週間に一度の充電でもよいものが多い。したがって、ユーザが携帯電話機をポケットやカバンに入れたまま電池の残量を確認しないケースもあり、またユーザが能動的に電池１４の残量を確認せず、確認した時には電池の残量が尽きていることもあった。
【００１５】
また、充電を促す表示はユーザが能動的に目視して確認するしかなく、目視した時には電池の残量レベルが下がり、その時、外出中で充電器が近くにない場合は、通話できなくなるケースもあった。
【００１６】
【発明が解決しようとする課題】
上述のごとく従来の携帯電話機等の移動無線端末においては、通話時と待受時で電池の残量レベルが変動し、このため、ユーザが電池の残量を誤認識することがあり、また充電を促す表示はユーザが能動的に目視して確認するしかなく、ユーザが目視して電池の残量の確認をした時には充電が間に合わなく通話できなくなる可能性があった。
そこでこの発明は、電池の消耗に伴う充電推奨報知を適切に行うことで操作性の向上を図った移動無線端末を提供することを目的とする。
【００１７】
【課題を解決するための手段】
上述の目的を達成するため、請求項１記載の発明は、種々の情報を表示可能な表示手段を具備し、充電可能な電池を内蔵し、該電池からの給電により動作する移動無線端末において、前記電池の残量を検出する検出手段と、ユーザの指示に基づいて前記電池の充電を促す設定値を前記表示手段から設定可能な設定手段と、前記検出手段により検出された前記電池の残量と前記設定手段により設定された設定値とを比較し、該比較結果に基づき前記電池の充電を促す報知を前記表示手段による表示で行う報知手段とを具備し、前記設定手段は、前記報知手段により報知を行う目安となる判定値を入力する入力手段と、前記入力手段により入力された判定値に基づき前記設定値を設定する設定値設定手段とを具備し、前記入力手段は、前記電池容量に対する前記報知を行う全容量に対する電池残量の割合を前記判定値として入力することを特徴とする。
【００１８】
また、請求項２記載の発明は、種々の情報を表示可能な表示手段を具備し、充電可能な電池を内蔵し、該電池からの給電により動作する移動無線端末において、前記電池の残量を検出する検出手段と、ユーザの指示に基づいて前記電池の充電を促す設定値を前記表示手段から設定可能な設定手段と、前記検出手段により検出された前記電池の残量と前記設定手段により設定された設定値とを比較し、該比較結果に基づき前記電池の充電を促す報知を行う報知手段とを具備し、前記設定手段は、前記報知手段により報知を行う目安となる判定値を入力する入力手段と、前記入力手段により入力された判定値に基づき前記設定値を設定する設定値設定手段とを具備し、前記入力手段は、前記電池の通話可能時間と待受け可能時間を前記判定値として入力することを特徴とする。
【００１９】
また、請求項３記載の発明は、種々の情報を表示可能な表示手段を具備し、充電可能な電池を内蔵し、該電池からの給電により動作する移動無線端末において、前記電池の残量を検出する検出手段と、ユーザの指示に基づいて前記電池の充電を促す設定値を前記表示手段から設定可能な設定手段と、前記検出手段により検出された前記電池の残量と前記設定手段により設定された設定値とを比較し、該比較結果に基づき前記電池の充電を促す報知を行う報知手段とを具備し、前記設定手段は、前記報知手段により報知を前記表示手段による表示で行う目安となる判定値を入力する入力手段と、前記入力手段により入力された判定値に基づき前記設定値を設定する設定値設定手段とを具備し、前記設定値設定手段は、ユーザにより入力された電池の充電を促す時期である判定値および当該移動無線端末のユーザの過去の使用形態から計測した使用実績に基づき前記設定値を算出する算出手段と、前記算出手段により算出された前記設定値を設定する手段とを具備することを特徴とする。
【００２０】
また、請求項４記載の発明は、充電可能な電池を内蔵し、該電池からの給電により動作する移動無線端末において、前記電池の残量を検出する検出手段と、前記電池の充電を促す設定値を設定する設定手段と、前記検出手段により検出された前記電池の残量と前記設定手段により設定された設定値とを比較し、該比較結果に基づき前記電池の充電を促す報知を行う報知手段とを具備し、前記設定手段は、前記報知手段により報知を行う目安となる判定値を入力する入力手段と、前記入力手段により入力された判定値に基づき前記設定値を設定する設定値設定手段とをさらに具備し、前記入力手段は、前記電池の通話可能時間と待受け可能時間を前記判定値として入力することを特徴とする。
【００２４】
【発明の実施の形態】
以下、この発明に係わる移動無線端末の実施の形態を添付図面を参照して詳細に説明する。
図１は、この発明に係わる移動無線端末を適用して構成した携帯電話機の一実施の形態を示すブロック図である。
【００２５】
図１において、この携帯電話機１００は、アンテナ１、送受信切換部２、送信部３、変調部４、マイクロフォン５、受信部６、復調部７、スピーカ８、制御部９、サウンダ１０、キー入力部１１、表示部１２、メモリ１３、電池１４、電源部１５、電池電圧検出回路１６、レベル判定部１７を具備して構成される。
【００２６】
この携帯電話機１００で通話を行う場合には、発呼時にはキー入力部１１から入力された相手先電話番号か、メモリ１３に記憶されている電話番号（短縮ダイヤルやリダイヤル等）を利用して、制御部９が送信部３、送受信切換部２を介してアンテナ１から制御信号を発信して回線を接続する。
【００２７】
また、この携帯電話機１００の着呼時には、アンテナ１、送受信切換部２、受信部６を介して制御部９が着呼信号を受信すると、制御部９はサウンダ１０から着信音を鳴動させ、この着信音を聞いたユーザがキー入力部１１の操作を行うと、制御部９が送信部３、送受信切換部２を介してアンテナ１から着呼確認信号を発信して回線を接続する。
【００２８】
そして、回線が接続された後も、制御部９は、アンテナ１、送受信切換部２、送信部３，受信部６を介して制御信号の授受を行い、これと同時にユーザがアンテナ１、送受信切換部２、送信部３、変調部４、マイクロフォン５、受信部６、復調部７、スピーカ８を介して通話を行う。
【００２９】
ここで、電池１４は、この携帯電話機１００の電源を構成し、この電池の出力は電源部１５により安定化され、各部に供給される。また、電池１４は、図示しない充電器により充電されるが、この電池は携帯電話機１００の使用状態に応じて消耗し、その出力電圧（端子電圧）が低下する。
【００３０】
電池電圧検出回路１６は、この電池１４の端子電圧を検出する。この電池電圧検出回路１６としては、Ａ／Ｄ変換器が用いられ、電池１４の端子電圧をデジタル値に変換する。
【００３１】
レベル判定部１７は、電池電圧検出回路１６から検出された電池１４の端子電圧に対応するデジタル値と制御部９により設定されたレベル判定値（設定値）とを比較し、電池１４の端子電圧に対応するデジタル値が制御部９により設定されたレベル判定値まで減少すると、この旨を制御部９に通知する。
【００３２】
制御部９はこの通知に対応して表示部１２を駆動して電池１４の充電を促す充電表示を行う。
ここで、制御部９によるレベル判定部１７に対するレベル判定値の設定は、
１）キー入力部１１から充電報知の目安となる電池残量の割合を分数若しくはパーセント入力する
２）キー入力部１１から充電報知の目安となる通話時間および待受時間を入力する
等により設定される。この制御部９によるレベル判定部１７に対するレベル判定値の設定の具体例については後に詳述する。
【００３３】
図２は、図１に示した制御部における充電推奨報知動作を示すフローチャートである。
まず、キー入力部１１により登録操作がなされたかを調べる（ステップ１０１）。ここで、キー入力部１１による登録操作とは、制御部９によるレベル判定部１７に対するレベル判定値の設定を可能にする設定モードの選択動作をいい、例えば、ファンクションキーの「Ｆ」とテンキーの「４」「５」を押下することにより行われる。
【００３４】
キー入力部１１により登録操作がなされていないと（ステップ１０１でＮＯ）、ステップ１０１２戻り、キー入力部１１により登録操作がなされるのを待つが、ステップ１０１でキー入力部１１により登録操作がなされたと判断されると（ステップ１０１でＹＥＳ）、制御部９によるレベル判定部１７に対するレベル判定値の設定を可能にする設定モードになり、表示部１２の表示画面に、レベル判定値の設定を行うためのメニュー表示がなされる（ステップ１０２）。
【００３５】
このメニュー表示による対話的入力により所望の充電推奨報知判定値がキー入力部１１から入力されると（ステップ１０３）、制御部９はこの入力された充電推奨報知判定値に基づき電池１４の充電を促す報知を行うレベル判定値をレベル判定部１７に設定する。
【００３６】
次に、制御部９は、レベル判定部１７で電池電圧≦判定レベルと判定されたか、すなわち、電池電圧検出回路１６から出力された電池１４の端子電圧に対応するデジタル値が制御部９により設定されたレベル判定値まで減少したかを調べる（ステップ１０５）。
【００３７】
ここで、電池電圧検出回路１６から出力された電池１４の端子電圧に対応するデジタル値が制御部９により設定されたレベル判定値まで減少していず、レベル判定部１７で電池電圧≦判定レベルが成立していないと判断されると（ステップ１０４でＮＯ）、表示部１２の表示画面の充電表示は消灯したままとなり（ステップ１０６）、ステップ１０５に戻る。
【００３８】
また、ステップ１０５において、電池電圧検出回路１６から出力された電池１４の端子電圧に対応するデジタル値が制御部９により設定されたレベル判定値まで減少し、レベル判定部１７で電池電圧≦判定レベルが成立したと判断されると（ステップ１０４でＹＥＳ）、表示部１２の表示画面の充電表示を点灯させ（ステップ１０７）、制御部９内に設けられた図示しないＴ１タイマを起動する（ステップ１０８）。
【００３９】
次に、ステップ１０８で起動したＴ１タイマの計時時間ｔがＴ１に達したか、すなわちｔ＝Ｔ１かを調べ（ステップ１０９）、ｔ＝Ｔ１になっていない場合は（ステップ１０９でＮＯ）ステップ１０９に戻るが、ステップ１０９でｔ＝Ｔ１になると（ステップ１０９でＹＥＳ）、所定に報知音を例えばサウンダ１０から発生させ（ステップ１１０）、その後、Ｔ１タイマをリセットし（ステップ１１１）、ステップ１０５に戻る。
【００４０】
図３は、図１に示した表示部１２に表示される電池１４の充電を促す充電表示の一例を示す図である。
図３において、図３（ａ）は、レベル判定部１７で、電池電圧検出回路１６から出力された電池１４の端子電圧に対応するデジタル値が制御部９により設定されたレベル判定値まで減少していない状態における表示部１２の表示画面１２１−１の一例を示している。この状態においては、表示部１２の表示画面１２１−１には、受信レベルの表示と日時、曜日、時刻が表示されているだけで、電池１４の充電を促す充電表示はなされていない。
【００４１】
電池１４の端子電圧が減少し、レベル判定部１７により電池電圧検出回路１６から出力された電池１４の端子電圧に対応するデジタル値が制御部９により設定されたレベル判定値まで減少したと判定されると、表示部１２の表示画面は、表示画面１２１−１から表示画面１２１−２に変化し、表示画面１２１−２上には、電池１４の充電を促す「Ｃｈａｒｇｅ」の６文字からなる充電表示２００が表示される。
【００４２】
そして、この電池１４の充電を促す充電表示２００が表示部１２の表示画面１２１−２に表示された後、これに気づかず電池１４の充電を行わないと、Ｔ１タイマの計時時間が経過した後、サウンダ１０等による警報表示がなされる。
【００４３】
このような構成によると、表示部１６の通常の状態の表示画面１２１−１においては、受信レベルの表示と日時、曜日、時刻が表示されているだけであるので、従来例の、例えば、図１０（ａ）に示す表示部表示画面１２１に比較して見易くなっており、また、電池１４の充電を促す必要があるときは、図３（ｂ）に示すように「Ｃｈａｒｇｅ」の６文字からなる充電表示２００が大きく表示されるので、分かり易く認識し易い。
【００４４】
また、充電表示してから所定時間経過後に行われる充電報知は上述のサウンダ１０を用いた報知音の発生の他にこの携帯電話機１００内蔵のバイブレーターにより行ってもよい。
【００４５】
また、上記充電表示と同時に、表示画面を内蔵ランプで照射し、暗闇でも認識するようにしてもよい。なおこの場合、この照射を点滅にすると利用者に対する充電表示を更に効果的に行うことができる。
【００４６】
次に、図２で説明したメニュー表示に基づき対話的入力による充電推奨報知判定値入力処理の具体例について説明する。
図２で説明したメニュー表示においては、充電報知の目安となる判定値の入力方法として電池１４の全容量に対する残容量の割合を分数若しくはパーセントで入力する「残容量設定」と残使用可能時間で入力する「時期設定」の設定モードが用意されている。
【００４７】
図４は、設定モードとして「残容量設定」を選択し、充電を促す報知を行う判定値入力として「分数入力」を選択した場合の充電推奨報知判定値入力処理を説明する表示画面例である。
【００４８】
まず、表示部１２の表示画面には、図４（ａ）に示すように、「残容量設定」と「時期設定」のいずれの設定モードを選択するメニュー画面が表示される。
ここで、ユーザ入力により「残容量設定」を選択すると、「残容量設定」が反転表示され、次に、表示部１２の表示画面は、図４（ｂ）に示すように、「分数入力」、「パーセント入力」、「通話・待受時間入力」の選択肢が表示される表示画面に変わる。
【００４９】
ここで、ユーザが「分数入力」を選択すると、表示部１２には、図４（ｃ）に示すように電池１４の充電を促す判定値を分数で選択する表示画面が表示される。
【００５０】
ここでは、分数の判定値の一例として「１／１０」「２／１０」「３／１０」「４／１０」「５／１０」「６／１０」「その他」が表示されている。
この分数の選択肢の中でユーザが、例えば、「２／１０」を選択すると、制御部９は、電池１４の残容量が「２／１０」になったときの電池１４の端子電圧に対応する値をレベル判定値としてレベル判定部１７に設定する。
【００５１】
また、図４（ｃ）の表示画面で「その他」を選択した場合は、図４（ｄ）に示すように、キー入力部１１により電池１４の充電を促す判定値を分数で直接入力する画面に変わり、この場合は、ユーザが所望の分数値をキー入力部１１により入力することになる。
【００５２】
この場合も、制御部９は、電池１４の残容量がユーザにより直接入力された分数値になったときの電池１４の端子電圧に対応する値がレベル判定値としてレベル判定部１７に設定される。
【００５３】
なお、分数値で表す電池１４の残容量に対する電池１４の端子電圧に対応する値は、予め測定してメモリ１３にテーブルとして記憶しておき、制御部９は、このテーブルから選択若しくは入力された分数値に対する電池１４の端子電圧に対応する値を読み出すことで容易にレベル判定部１７に所望のレベル判定値を設定することができる。なお、このテーブルに記憶されていない分数値が選択若しくは入力された場合は、例えば補間処理等により、このテーブルに記憶されていない分数値に対する電池１４の端子電圧に対応する値を演算算出してレベル判定部１７に設定するように構成すればよい。
【００５４】
レベル判定部１７は、電池電圧検出回路１６から検出された電池１４の端子電圧に対応するデジタル値と上記制御部９により設定されたレベル判定値とを比較し、電池１４の端子電圧に対応するデジタル値が制御部９により設定されたレベル判定値まで減少すると、この旨を制御部９に通知し、制御部９はこの通知に対応して表示部１２を駆動して、図３（ｂ）に示したように、表示部１２の表示画面に電池１４の充電を促す充電表示を行う。
【００５５】
なお、ユーザが、上述の分数のどの値を選択または入力するかはユーザのこの携帯電話機１００の使用状況により異なる。
例えば、ユーザが多時間通話するため、電池１４の残量が半分になった時点で、充電推奨報知を希望する場合は、図４（ｃ）に示す分数値選択肢で５／１０を選択し、また、一週間に一回しか充電せずそれも充電器を常に携帯しているユーザならば、例えば、１／１０を選択し、電池１４の容量の９／１０を使用した時に充電推奨報知をさせることで事足りる。
【００５６】
また、充電器を家におき、一週間に一度充電すればいいユーザは、余裕を見て２／１０を選択すればよい。
いずれにしろ、この設定手法によれば、ユーザが希望する充電報知の目安となる判定値を分数値で選択若しくは入力するという簡単な操作だけで、ユーザの使用形態に対応した最適なタイミングで表示部１２の表示画面上に充電を促す充電表示を行うことが可能になる。
【００５７】
図５は、設定モードとして「残容量設定」を選択し、充電を促す報知を行う判定値入力として「パーセント入力」を選択した場合の充電推奨報知判定値入力処理を説明する表示画面例である。
【００５８】
まず、表示部１２の表示画面には、図５（ａ）に示すように、「残容量設定」と「時期設定」のいずれの設定モードを選択する図４（ａ）と同様のメニュー画面が表示される。
【００５９】
ここで、ユーザ入力により「残容量設定」を選択すると、「残容量設定」が反転表示され、次に、表示部１２の表示画面は、図５（ｂ）に示すように、「分数入力」、「パーセント入力」、「通話・待受時間入力」の選択肢が表示される図４（ｂ）と同様の表示画面に変わる。
【００６０】
ここで、ユーザが「パーセント入力」を選択すると、表示部１２には、図５（ｃ）に示すように電池１４の充電を促す判定値をパーセントで選択する表示画面が表示される。
【００６１】
ここでは、パーセントの判定値の一例として「１０」「２０」「３０」「４０」「５０」「６０」「その他」が表示されている。
このパーセントの選択肢の中でユーザが、例えば、「２０」を選択すると、制御部９は、電池１４の残容量が「２０」パーセントになったときの電池１４の端子電圧に対応する値をレベル判定値としてレベル判定部１７に設定する。
【００６２】
また、図５（ｃ）の表示画面で「その他」を選択した場合は、図５（ｄ）に示すように、キー入力部１１により電池１４の充電を促す判定値をパーセントで直接入力する画面に変わり、この場合は、ユーザが所望のパーセント値をキー入力部１１により入力することになる。
【００６３】
この場合も、制御部９は、電池１４の残容量がユーザにより直接入力されたパーセント値になったときの電池１４の端子電圧に対応する値がレベル判定値としてレベル判定部１７に設定される。
【００６４】
なお、この場合もパーセント値で表した電池１４の残容量に対する電池１４の端子電圧に対応する値を、予め測定してメモリ１３にテーブルとして記憶しておき、制御部９は、このテーブルから選択若しくは入力されたパーセント値に対する電池１４の端子電圧に対応する値を読み出すことで容易にレベル判定部１７に所望のレベル判定値を設定することができる。また、このテーブルに記憶されていないパーセント値が選択若しくは入力された場合は、例えば補間処理等により、このテーブルに記憶されていないパーセント値に対する電池１４の端子電圧に対応する値を演算算出してレベル判定部１７に設定するように構成すればよい。
【００６５】
レベル判定部１７は、電池電圧検出回路１６から検出された電池１４の端子電圧に対応するデジタル値と上記制御部９により設定されたレベル判定値とを比較し、電池１４の端子電圧に対応するデジタル値が制御部９により設定されたレベル判定値まで減少すると、この旨を制御部９に通知し、制御部９はこの通知に対応して表示部１２を駆動して、図３（ｂ）に示したように、表示部１２の表示画面に電池１４の充電を促す充電表示を行う。
【００６６】
このような設定手法によっても、ユーザが希望する充電報知の目安となる判定値をパーセント値で選択若しくは入力するという簡単な操作だけで、ユーザの使用形態に対応した最適なタイミングで表示部１２の表示画面上に充電を促す充電表示を行うことが可能になる。
【００６７】
図６は、設定モードとして「時期設定」を選択し、充電を促す報知を行う判定値入力として「通話・待受時間入力」を選択した場合の充電推奨報知判定値入力処理を説明する表示画面例である。
【００６８】
まず、表示部１２の表示画面には、図６（ａ）に示すように、「残容量設定」と「時期設定」のいずれかの設定モードを選択する図４（ａ）と同様のメニュー画面が表示される。
【００６９】
ここで、ユーザ入力により「時期設定」を選択すると、「時期設定」が反転表示され、次に、表示部１２の表示画面は、図６（ｂ）に示すように、「分数入力」、「パーセント入力」、「通話・待受時間入力」の選択肢が表示される図４（ｂ）と同様の表示画面に変わる。
【００７０】
ここで、ユーザが「通話・待受時間入力」を選択すると、表示部１２には、図６（ｃ）に示すように電池１４の充電を促す判定値を「通話時間」および「待受時間」で入力する表示画面が表示される。
【００７１】
図６（ｃ）に示す表示画面では、ユーザの希望する「通話時間」と「待受時間」をキー入力部１１の操作によりユーザが入力し、その入力値から設定値を算出する。
【００７２】
例えば、ユーザが１日に１０分くらい通話して、電池の残量が尽きる１日前に充電を促す報知を希望する場合は、通話時間として１０分、待受時間として２４時間を図６（ｃ）の入力画面で入力する。
【００７３】
ここで、電池１４の消費電力は、
通話時間×通話時消費電流＋待受時間×待受時消費電流
で計算することができるので、この携帯電話機の通話時消費電流が３５０ｍＡ、待受時消費電流が３ｍＡであると、通話時間１０分、待受時間２４時間の場合の電池１４の消費電力は、
１０分／６０分×３５０ｍＡ＋２４時間×３ｍＡ＝１３０ｍＡＨ
となる。
【００７４】
したがって、この場合は、電池１４の残余電力が１３０ｍＡＨとなったときの電池１４の端子電圧に対応する値をレベル判定部１７にレベル判定値として設定することになる。
【００７５】
この場合も電池１４の残余電力に対する電池１４の端子電圧に対応する値を、予め測定してメモリ１３にテーブルとして記憶しておき、制御部９は、このテーブルから計算した電池１４の残余電力に対する電池１４の端子電圧に対応する値を読み出すことで容易にレベル判定部１７にレベル判定値を設定することができる。また、このテーブルに記憶されていない残余電力が入力された場合は、例えば補間処理等により、このテーブルに記憶されていない残余電力に対する電池１４の端子電圧に対応する値を演算算出してレベル判定部１７に設定するように構成すればよい。
【００７６】
レベル判定部１７は、電池電圧検出回路１６から検出された電池１４の端子電圧に対応するデジタル値と上記制御部９により設定されたレベル判定値とを比較し、電池１４の端子電圧に対応するデジタル値が制御部９により設定されたレベル判定値まで減少すると、この旨を制御部９に通知し、制御部９はこの通知に対応して表示部１２を駆動して、図３（ｂ）に示したように、表示部１２の表示画面に電池１４の充電を促す充電表示を行う。
【００７７】
このような設定手法によっても、ユーザが希望する充電報知の目安となる判定値を通話時間、待受時間を入力するという簡単な操作だけで、ユーザの使用形態に対応した最適なタイミングで表示部１２の表示画面上に充電を促す充電表示を行うことが可能になる。
【００７８】
なお、図６に示した手法においては、通話時間および待受時間を実際に入力することによりレベル判定部１７に対してレベル判定値を設定するように構成したが、ユーザに対してその使用頻度、例えば、「多時間通話する」、「通常」、「ほとんど通話しない」を選択させることにより、充電を促す時期を「２日前」、「１日前」、「半日前」、「６時間前」と曖昧入力するだけで所望の充電報知を行うことができるように構成することもできる。
【００７９】
図７は、設定モードとして「時期設定」を選択し、使用頻度として「通常」を選択し、充電を促す時期として「１日前」を選択した場合の充電推奨報知判定値入力処理を説明する表示画面例である。
【００８０】
まず、表示部１２の表示画面には、図７（ａ）に示すように、「残容量設定」と「時期設定」のいずれの設定モードを選択する図４（ａ）と同様のメニュー画面が表示される。
【００８１】
ここで、ユーザ入力により「時期設定」を選択すると、「時期設定」が反転表示され、次に、表示部１２の表示画面は、図７（ｂ）に示すように、「多時間通話する」、「通常」、「ほとんど通話しない」の選択肢が表示される表示画面に変わる。
【００８２】
ここで、ユーザが「通常」を選択すると、表示部１２には、図７（ｃ）に示すように「２日前」、「１日前」、「半日前」、「６時間前」、「その他」の選択肢が表示される表示画面に変わる。
【００８３】
ここで、「１日前」を選択すると、使用頻度が「通常」であり、電池１４の残容量が「１日前」に相当する電池１４の端子電圧に対応する値がレベル判定部１７にレベル判定値として設定される。
【００８４】
また、また、図７（ｃ）の表示画面で「その他」を選択した場合は、図７（ｄ）に示すように、キー入力部１１により電池１４の充電を促す時期を直接入力する画面に変わり、この場合は、ユーザが所望の時期を、例えば何日前として入力することになる。
【００８５】
この場合も、制御部９は、選択された使用頻度および入力された時期に対する電池１４の端子電圧に対応する値がレベル判定値としてレベル判定部１７に設定されることになる。
【００８６】
ここで、上記レベル判定値の設定は、使用頻度「多時間通話する」、「通常」、「ほとんど通話しない」にそれぞれ対応して「２日前」、「１日前」、「半日前」、「６時間前」等の時期に対応する電池１４の端子電圧に対応する値を予測して予め求めたてメモリ１３にテーブルとして記憶しておき、制御部９は、このテーブルから電池１４の端子電圧に対応する値を読み出すことで容易にレベル判定部１７にレベル判定値を設定することができる。
【００８７】
レベル判定部１７は、電池電圧検出回路１６から検出された電池１４の端子電圧に対応するデジタル値と上記制御部９により設定されたレベル判定値とを比較し、電池１４の端子電圧に対応するデジタル値が制御部９により設定されたレベル判定値まで減少すると、この旨を制御部９に通知し、制御部９はこの通知に対応して表示部１２を駆動して、図３（ｂ）に示したように、表示部１２の表示画面に電池１４の充電を促す充電表示を行う。
【００８８】
このような設定手法によると、ユーザによる曖昧入力だけで、ユーザの使用形態に対応した最適なタイミングで表示部１２の表示画面上に充電を促す充電表示を行うことが可能になり、非常に便利となる。
【００８９】
なお、図７に示した手法においては、ユーザに対してその使用頻度、例えば、「多時間通話する」、「通常」、「ほとんど通話しない」を選択させるように構成したが、ユーザの使用頻度を過去の使用形態から計測して学習的に求めておけば、この学習的に求めたユーザの使用頻度を利用することで、ユーザに対する使用頻度の選択を省略するすることができ、更にこの場合は、ユーザの実際の使用実績に基づき充電を促す充電表示が行われるので、更に最適な充電報知を的確に行うことが可能になる。
【００９０】
図８は、設定モードとして「時期設定」を選択し、充電を促す時期を選択するだけで充電推奨報知判定値入力処理を可能にした表示画面例である。
まず、表示部１２の表示画面には、図８（ａ）に示すように、「残容量設定」と「時期設定」のいずれの設定モードを選択する図４（ａ）と同様のメニュー画面が表示される。
【００９１】
ここで、ユーザ入力により「時期設定」を選択すると、「時期設定」が反転表示され、次に、表示部１２の表示画面は、図８（ｂ）に示すように、「２日前」、「１日前」、「半日前」、「６時間前」、「その他」の選択肢が表示される表示画面に変わる。
【００９２】
ここで、「１日前」を選択すると、予め測定したこの携帯電話機１００の使用実績に基づき、電池１４の残容量が「１日前」に相当する電池１４の端子電圧に対応する値がレベル判定部１７にレベル判定値として設定される。
【００９３】
また、また、図８（ｂ）の表示画面で「その他」を選択した場合は、図８（ｃ）に示すように、キー入力部１１により電池１４の充電を促す時期を直接入力する画面に変わり、この場合は、ユーザが所望の時期を、例えば何日前として入力することになる。
【００９４】
この場合も、制御部９は、予め測定したこの携帯電話機１００の使用実績および入力された時期に対する電池１４の端子電圧に対応する値がレベル判定値としてレベル判定部１７に設定されることになる。
【００９５】
このような設定手法によると、ユーザによる電池１４の充電を促す時期の曖昧入力だけで、ユーザの使用形態に対応した最適なタイミングで表示部１２の表示画面上に充電を促す充電表示を行うことが可能になり、更に便利となる。
【００９６】
【発明の効果】
以上説明したように、請求項１及び請求項３に記載された発明によれば、ユーザの指示に基づいて設定された充電を促す設定値と電池の残量とを比較し、その電池の残量が該設定値まで下がってきた時に充電を促す報知を前記表示手段による表示で行うように構成したので、ユーザの使用形態に対応した最適なタイミングで報知が可能となり、電池の消耗に伴う充電の推奨報知を適切に行うことができ操作性の向上を図ることができるという効果を奏する。
また、請求項２及び請求項４に記載された発明によれば、設定された充電を促す設定値と電池の残量とを比較し、その電池の残量が該設定値まで下がってきた時に充電を促す報知を行うように構成したので、充電を促す報知を行う判定値から算出した充電を促す設定値と電池の残量とを比較し、その電池の残量が該設定値まで下がってきた時に充電を促す報知を行うように構成したので、電池の消耗に伴う充電の推奨報知を適切に行うことができ操作性の向上を図ることができるという効果を奏する。
【図面の簡単な説明】
【図１】本発明に係わる移動無線端末を適用して構成した携帯電話機の一実施の形態を示すブロック図。
【図２】図１に示した制御部における充電推奨報知の動作を示すフローチャート。
【図３】  本発明に係わる移動無線端末における充電を促す時の表示部の表示例を示す図。
【図４】「残容量設定」の設定値設定方法を選択し、充電を促す報知を行う判定値入力方法に「分数入力」を選択した時の表示部の表示画面例を示す図。
【図５】「残容量設定」の設定値設定方法を選択し、充電を促す報知を行う判定値入力方法に「パーセント入力」を選択した時の表示部の表示画面例を示す図。
【図６】「残容量設定」の設定値設定方法を選択し、充電を促す報知を行う判定値入力方法に「通話・待受時間入力」を選択した時の表示部の表示画面例を示す図。
【図７】「時期設定」の設定方法を選択し、使用頻度として「通常」を選択した時の表示部の表示画面例を示す図。
【図８】ユーザの電池使用実績データが設定されている時の「時期設定」における設定値設定方法を示す表示部の表示画面例を示す図。
【図９】携帯電話機の電池の通話時と待受時とにおける正規化放電時間と正規化電池電圧との関係を示したグラフ。
【図１０】従来の電池の残量を表示する表示画面を示す図。
【図１１】従来の電池の他の残量表示の他の例を示す図。
【符号の説明】
１    アンテナ
２    送受信切換部
３    送信部
４    変調部
５    マイクロフォン
６    受信部
７    復調部
８    スピーカ
９    制御部
１０  サウンダ
１１  キー入力部
１２  表示部
１３  メモリ
１４  電池
１５  電源部
１６  電池電圧検出回路
１７  レベル判定部
１００  携帯電話機
１２１  表示画面
７２    キー入力部
【図１】
0004229539.tif 000002
【図２】
0004229539.tif 000003
【図３】
0004229539.tif 000004
【図４】
0004229539.tif 000005
【図５】
0004229539.tif 000006
【図６】
0004229539.tif 000007
【図７】
0004229539.tif 000008
【図８】
0004229539.tif 000009
【図９】
0004229539.tif 000010
【図１０】
0004229539.tif 000011
【図１１】
0004229539.tif 000012